(57)【要約】【課題】部品点数の増加を抑制しつつ被固定部への固定時の作業性を向上させることができる吊り下げ金具を提供する。【解決手段】吊り下げ金具１が一対の挟持部６Ａ、６Ｂ及び係止部７を備え、吊り下げ金具１に対してガス銃Ｇの射出部Ｇ２を回動させることにより、吊り下げ金具１が射出部Ｇ２に取り付けられる。従って、天井Ｃへの固定時にガス銃Ｇのみを操作すればよく、片手での固定が可能となり作業性を向上させることができる。さらに、吊り下げ金具１を射出部Ｇ２に取り付けるために別部品のアタッチメント等を用いる必要がなく、部品点数の増加を抑制することができる。【選択図】図５
2017072232.tif 000002
【特許請求の範囲】
【請求項１】
先端部が他の部位よりも拡径されるとともに該先端部が大径部と小径部とを有する筒状の射出部から固着部材を射出する射出手段を用いることにより、被固定部に対して固定される吊り下げ金具であって、
前記固着部材が挿通される挿通孔が形成されるとともに前記被固定部の被固定面に沿って設けられる固定板部と、
前記固定板部における前記被固定面と反対側の面において前記挿通孔の周囲に形成された一対の挟持部と、
前記固定板部との間に前記大径部を挟持可能なように前記一対の挟持部のうち少なくとも一方に形成された係止部と、を備え、
前記一対の挟持部は、互いの間隔が前記先端部の前記小径部における外径以上、且つ、前記大径部における外径未満となるように設けられ、
前記小径部を前記一対の挟持部の間に配置し、前記固定板部に対して面直方向を軸方向として前記射出部を回動させ、前記大径部を前記一対の挟持部の間に配置した際に、前記大径部が前記係止部によって係止されるように構成されていることを特徴とする吊り下げ金具。
【請求項２】
複数の前記挿通孔を有し、
前記一対の挟持部及び前記係止部は、前記複数の挿通孔のうちいずれか一の挿通孔に対して設けられていることを特徴とする請求項１に記載の吊り下げ金具。
【請求項３】
前記反対側の面には、前記一対の挟持部及び前記係止部が設けられない前記挿通孔の周囲に、前記先端部に当接して位置決めする位置決め部が形成されていることを特徴とする請求項２に記載の吊り下げ金具。
【請求項４】
前記挟持部及び前記係止部は、前記固定板部の一部が前記被固定面の反対側に折り曲げられた折曲部により一体に形成されていることを特徴とする請求項１〜３のいずれか１項に記載の吊り下げ金具。
【請求項５】
建造物の天井を前記被固定部とするとともに、前記天井の下面を前記被固定面として固定され、
前記天井から下方に向かって延びる吊りボルトを取り付けるための取付部をさらに備えることを特徴とする請求項１〜４のいずれか１項に記載の吊り下げ金具。
【発明の詳細な説明】
【技術分野】
【０００１】
本発明は、固着部材を射出する射出手段を用いることにより被固定部に固定される吊り下げ金具に関する。
【背景技術】
【０００２】
従来、コンクリート建造物の天井スラブ（被固定部）に対して吊り下げ用の金具を固定するとともに、この吊り下げ用の金具によって照明機器や空調機器等の天井部材を吊り下げ支持する構造が提案されている（例えば、特許文献１参照）。特許文献１に記載された従来の吊り下げ用の金具は、ピン状の固着部材を天井スラブに打ち込むことにより固定されるようになっている。
【先行技術文献】
【特許文献】
【０００３】
【特許文献１】特開２００４−１４３７９８号公報
【発明の概要】
【発明が解決しようとする課題】
【０００４】
しかしながら、特許文献１の吊り下げ用の金具を天井スラブに対して固定する際、作業者は片手で金具を保持しつつ、固着部材を射出する射出手段をもう一方の手で操作する必要があり、作業性が悪いという不都合があった。そこで、片手作業が可能なように、射出部と金具とを接続する別部品のアタッチメントを設ける構成も考えられるが、このようなアタッチメントによって部品点数が増加してしまう。
【０００５】
本発明の目的は、部品点数の増加を抑制しつつ被固定部への固定時の作業性を向上させることができる吊り下げ金具を提供することにある。
【課題を解決するための手段】
【０００６】
本発明の吊り下げ金具は、先端部が他の部位よりも拡径されるとともに該先端部が大径部と小径部とを有する筒状の射出部から固着部材を射出する射出手段を用いることにより、被固定部に対して固定される吊り下げ金具であって、前記固着部材が挿通される挿通孔が形成されるとともに前記被固定部の被固定面に沿って設けられる固定板部と、前記固定板部における前記被固定面と反対側の面において前記挿通孔の周囲に形成された一対の挟持部と、前記固定板部との間に前記大径部を挟持可能なように前記一対の挟持部のうち少なくとも一方に形成された係止部と、を備え、前記一対の挟持部は、互いの間隔が前記先端部の前記小径部における外径以上、且つ、前記大径部における外径未満となるように設けられ、前記小径部を前記一対の挟持部の間に配置し、前記固定板部に対して面直方向を軸方向として前記射出部を回動させ、前記大径部を前記一対の挟持部の間に配置した際に、前記大径部が前記係止部によって係止されるように構成されていることを特徴とする。
【０００７】
以上のような本発明によれば、一対の挟持部同士の間隔が大径部の外径未満であることで、大径部を一対の挟持部の間に位置づけることにより、一対の挟持部同士が離れるように変形したり、射出部が圧縮されるように変形したりし、このときに生じる復元力によって一対の挟持部によって大径部が挟持され、固定板部に対して射出部が回動することが抑制されるとともに、射出部が固定板部に対して面直方向に移動しにくくなる。さらに、大径部が係止部によって係止される、即ち、大径部が係止部と固定板部とによって挟持されることで、射出部が固定板部から面直方向に離れないように保持された状態となる。従って、一対の挟持部及び係止部を備えることで、射出部に吊り下げ金具を取り付けることができ、被固定部への固定時の作業性を向上させることができる。さらに、固定板部と挟持部と係止部とが一部品として構成されていることで、吊り下げ金具を射出部に取り付けるために別部品のアタッチメント等を用いる必要がなく、部品点数の増加を抑制することができる。
【０００８】
この際、本発明の吊り下げ金具では、複数の前記挿通孔を有し、前記一対の挟持部及び前記係止部は、前記複数の挿通孔のうちいずれか一の挿通孔に対して設けられていることが好ましい。このような構成によれば、吊り下げ金具が複数の挿通孔を有することで、各挿通孔に挿通された固着部材のうち一部に固着不良が生じても、正常に固着された固着部材によって吊り下げ金具の被固定部に対する固定を維持することができる。また、挟持部及び係止部が設けられた挿通孔に最初に固着部材を挿通すれば、上記のように作業性を向上させることができる。その後、他の挿通孔に固着部材を挿通する際には、吊り下げ金具が既に被固定部に対して固定されていることから、吊り下げ金具を射出部に取り付ける必要がない。従って、複数の挿通孔のうち一の挿通孔に対してのみ挟持部及び係止部を設けることで、作業性を向上させつつ構成を簡単化することができる。
【０００９】
さらに、本発明の吊り下げ金具では、前記反対側の面には、前記一対の挟持部及び前記係止部が設けられない前記挿通孔の周囲に、前記先端部に当接して位置決めする位置決め部が形成されていることが好ましい。このような構成によれば、挟持部及び係止部が設けられない挿通孔の周囲に位置決め部が設けられていることで、上記のように挟持部及び係止部が設けられた挿通孔に固着部材を挿通して吊り下げ金具を被固定部に固定した後、他の挿通孔に固着部材を挿通する際に、筒状の射出部と挿通孔とを位置合わせすることができ、作業性をさらに向上させることができる。
【００１０】
また、本発明の吊り下げ金具では、前記挟持部及び前記係止部は、前記固定板部の一部が前記被固定面の反対側に折り曲げられた折曲部により一体に形成されていることが好ましい。このような構成によれば、固定板部の一部を折り返すことにより挟持部及び係止部を容易に形成することができる。
【００１１】
また、本発明の吊り下げ金具では、建造物の天井を前記被固定部とするとともに、前記天井の下面を前記被固定面として固定され、前記天井から下方に向かって延びる吊りボルトを取り付けるための取付部をさらに備えることが好ましい。このような構成によれば、吊り下げ金具を天井に固定して取付部に吊りボルトを取り付け、例えば空調機器や照明機器等の被吊り下げ部材を吊りボルトによって吊り下げることにより、被吊り下げ部材を天井から吊り下げることができる。このとき、吊り下げ金具は、固定板部を有する板状の本体部を備え、取付部は、吊りボルトに螺合するとともに本体部に対して回動不能に設けられたナット部を有することがより好ましい。このような構成によれば、吊り下げ金具を天井に固定し、吊りボルトを取付部に取り付ける際に、吊りボルトのみを回転させてナット部に螺合させればよく、ナット部の回転を抑える必要がない。従って、吊りボルト取付時の作業性を向上させることができる。
【発明の効果】
【００１２】
以上のような本発明の吊り下げ金具によれば、一対の挟持部同士の間隔が大径部の外径未満であるとともに、挟持部に係止部が形成されていることで、部品点数の増加を抑制しつつ被固定部への固定時の作業性を向上させることができる。
【図面の簡単な説明】
【００１３】
【図１】本発明の実施形態に係る吊り下げ金具を被固定部に固定する様子を示す斜視図である。
【図２】前記吊り下げ金具を示す側面図及びその要部を示す拡大図である。
【図３】前記吊り下げ金具を示す上面図である。
【図４】前記吊り下げ金具を示す下面図である。
【図５】前記吊り下げ金具を射出手段の射出部に取り付ける様子を示す下面図である。
【図６】前記吊り下げ金具を射出手段の射出部に取り付ける様子を示す側面図である。
【図７】前記吊り下げ金具を前記被固定部に固定するとともに吊りボルトを取り付けた様子を示す側面図である。
【発明を実施するための形態】
【００１４】
以下、本発明の実施形態を図面に基づいて説明する。本実施形態の吊り下げ金具１は、図１に示すように、固着部材としてのピンＰにより、建造物の天井Ｃを被固定部とするとともに天井構成部材（天井下地材及び天井仕上げ材）Ｃ１の下面を被固定面として固定されるものであって、板状の本体部２と、ナット部１０と、を備える。天井Ｃは、天井スラブＣ２の下面に天井構成部材Ｃ１が設けられることにより構成されている。尚、本実施形態では、吊り下げ金具１における天井構成部材Ｃ１側の面を上面とし、その反対側の面を下面とする。
【００１５】
ピンＰは、射出手段としてのガス銃Ｇによって射出され、天井構成部材Ｃ１を貫通するとともに天井スラブＣ２に打ち込まれる。ガス銃Ｇは、ピンＰを収容するとともに射出時にエネルギーを与える本体部Ｇ１と、ピンＰが射出される射出部Ｇ２と、を備える。射出部Ｇ２は、例えばゴムや樹脂等によって円筒状に形成されるとともに、後述するように大径部Ｇ３と小径部Ｇ４とを有するように拡径された先端部Ｇ５を有する。
【００１６】
本体部２は、図２〜４に示すように、例えば帯状の板金を打ち抜き加工及び曲げ加工することによって形成され、長手方向の両端に形成された平坦な２つの固定板部３Ａ、３Ｂと、２つの固定板部３Ａ、３Ｂの間に形成された中間部４と、を有し、固定板部３Ａ、３Ｂを天井構成部材Ｃ１の下面に沿うように配置した際に中間部４が天井Ｃから離隔するように側方視Ｖ字状に形成されている。また、固定板部３Ａ、３Ｂ同士が対向する方向を以下では対向方向と呼ぶ。
【００１７】
対向方向の一方側（図２における左側）の固定板部３Ａは、ピンＰが挿通される挿通孔５Ａと、下面における挿通孔５Ａの周囲に形成されるとともに固定板部３Ａ、３Ｂ同士の対向方向において対向する一対の挟持部６Ａ、６Ｂと、対向方向の一方側の挟持部６Ａに連続するように形成された係止部７と、を有する。また、固定板部３Ａには、他方側の挟持部６Ｂを挟んで挿通孔５Ａの反対側に、切り起こし孔８Ａが形成されている。
【００１８】
挟持部６Ａ及び係止部７は、固定板部３Ａの一方側の端部を下面側に折り返すことで形成された折曲部３１によって一体に構成されている。即ち、折曲部３１のうち基端側が挟持部６Ａとなり先端側が係止部７となっている。本実施形態では、折曲部３１は、固定板部３Ａのうち折り返されない平板部３２との間に鋭角（例えば約７０°）を形成するように１箇所において屈曲されたものとするが、２箇所以上において屈曲されていてもよいし、先端である係止部７が平板部３２と略平行となるように折り返されていてもよい。
【００１９】
挟持部６Ｂは、切り起こし加工により、固定板部３Ａから面直方向に沿って突出するように固定板部３Ａの一部を下面側に折り曲げられた折曲部３３によって形成されている。挟持部６Ｂの挿通孔５Ａ側の面は、下方視円弧状に形成されている。挟持部６Ｂの平板部３２からの突出寸法は、折曲部３１の突出寸法よりも小さく、折曲部３１のうち平板部３２からの突出寸法が挟持部６Ｂと同程度となる部分が挟持部６Ａとなる。このような一対の挟持部６Ａ、６Ｂは、後述するように大径部Ｇ３を挟持可能に構成されている。
【００２０】
対向方向の他方側の固定板部３Ｂには、ピンＰが挿通される挿通孔５Ｂが形成され、挿通孔５Ｂの周囲には、固定板部３Ａ、３Ｂ同士の対向方向において対向する一対の位置決め部９Ａ、９Ｂが固定板部３Ｂの下面に形成されている。また、固定板部３Ｂには、一対の位置決め部９Ａ、９Ｂのそれぞれを挟んで挿通孔５Ｂの反対側に、切り起こし孔８Ｂ、８Ｃが形成されている。
【００２１】
位置決め部９Ａ、９Ｂは、例えば切り起こし加工により、固定板部３Ｂの一部を下面側に折り返すことで、固定板部３Ｂから面直方向に沿って突出するとともに挿通孔５Ｂを挟んで略対称となるように形成されている。位置決め部９Ａ、９Ｂの挿通孔５Ｂ側の面は、下方視円弧状に形成されている。
【００２２】
中間部４は、固定板部３Ａ、３Ｂと略平行となるように平坦に形成されるとともに、かしめナットであるナット部１０を固定するための固定孔４１が形成されている。中間部４に固定されたナット部１０は、後述するように吊りボルトＢが取り付けられるように構成され、取付部として機能する。ナット部１０は、本体部２に対して回動不能に固定され、内周面が吊りボルトＢと螺合するように構成されている。尚、ナット部は、かしめによる固定に限定されず、例えば中間部４に溶接されることで回動不能に固定されていてもよい。
【００２３】
ガス銃Ｇの射出部Ｇ２は、図６に示すように、先端側に向かうにしたがって徐々に外径が大きくなるように外周面が円錐状に形成され、即ち先端部Ｇ５が他の部位よりも拡径されている。また、射出部Ｇ２は、先端部Ｇ５の後述する小径部Ｇ４においては、外周面が平坦に形成されている。円錐状の射出部Ｇ２における母線の底面に対する傾斜角度は、折曲部３１と平板部３２との間の角度と同程度となっている。また、射出部Ｇ２の中心にはピンＰが通過する射出口Ｇ６が形成されている。
【００２４】
先端部Ｇ５の先端面の外周は、図５に示すように、略平行な直線によって形成された２つの直線部Ｇ５１と、２つの直線部Ｇ５１同士を接続する円弧状の２つの曲線部Ｇ５２と、によって形成されている。従って、先端部Ｇ５の外径は、曲線部Ｇ５２の頂点Ｇ５２１において最大となり、直線部Ｇ５１において最小となる。即ち、先端部Ｇ５において、２つの頂点５２１の周辺が大径部Ｇ３となり、２つの直線部Ｇ５１の周辺が小径部Ｇ４となる。先端部Ｇ５の大径部Ｇ３における外径をＬ１とし、小径部Ｇ４における外径をＬ２とする。尚、射出部Ｇ２は円錐状であるため面直方向における位置によって外径が変化するが、外径Ｌ１、Ｌ２は、先端部Ｇ５の先端面における外径を指す。
【００２５】
以下、吊り下げ金具１及び射出部Ｇ２の各部の寸法の関係について説明する。まず、一対の挟持部６Ａ、６Ｂの先端部同士の間隔Ｌ３は、小径部Ｇ４の外径Ｌ２よりも大きく、大径部Ｇ３の外径Ｌ１よりも小さい。また、一対の挟持部６Ａ、６Ｂの基端部同士の間隔Ｌ５は、大径部Ｇ３の外径Ｌ１よりも小さい。尚、他方側の挟持部６Ｂは内周面が円弧状に形成されており、一方側の挟持部６Ａから最も離れた部分と挟持部６Ａとの間隔を間隔Ｌ３とする。
【００２６】
また、係止部７と他方側の挟持部６Ｂとの間隔Ｌ４は、小径部Ｇ４の外径Ｌ２よりも大きい。尚、係止部７と挟持部６Ｂとの間隔Ｌ４とは、係止部７から挟持部６Ｂの延長線まで固定板部３Ａと略平行に延びる線分の長さをいう。
【００２７】
また、一対の位置決め部９Ａ、９Ｂ同士の間隔（内径）は、大径部Ｇ３の外径Ｌ１よりも若干大きい。即ち、一対の位置決め部９Ａ、９Ｂの間に大径部Ｇ３を配置することができるようになっている。
【００２８】
次に、射出部Ｇ２に吊り下げ金具１を取り付ける手順について説明する。まず、図５（Ａ）及び図６（Ａ）に示すように、小径部Ｇ４を一対の挟持部６Ａ、６Ｂの間に配置する。このとき、射出部Ｇ２を固定板部３Ａに対して面直方向に近づけてもよいし、固定板部３Ａの下面に沿うようにスライドさせてもよい。
【００２９】
次に、図５（Ａ）及び図６（Ａ）に示す状態から、固定板部３Ａ、３Ｂに対して面直方向を軸方向として射出部Ｇ２を回動させることにより、図５（Ｂ）及び図６（Ｂ）に示すように、大径部Ｇ３を一対の挟持部６Ａ、６Ｂの間に配置する。一対の挟持部６Ａ、６Ｂの基端部同士の間隔Ｌ５が大径部Ｇ３の外径Ｌ１よりも小さく形成されていることから、先端部Ｇ５は一対の挟持部６Ａ、６Ｂに当接してわずかに縮み変形する。このとき、射出部Ｇ２における母線の底面に対する傾斜角度が折曲部３１と平板部３２との間の角度よりも大きく形成されていてもよく、このような構成においては、折曲部３１が平板部３２に対して開くように変形してもよい。また、係止部７と固定板部３Ａとの間に大径部Ｇ３が挟まれ、即ち、大径部Ｇ３が係止部７によって係止される。
【００３０】
上記のように変形した先端部Ｇ５が復元力によって一対の挟持部６Ａ、６Ｂ同士の間に圧接保持され、射出部Ｇ２が吊り下げ金具１に対して回動しにくくなる。さらに、大径部Ｇ３が係止部７に係止されることで、射出部Ｇ２が固定板部３Ａから離れることが抑制される。従って、一対の挟持部６Ａ、６Ｂ及び係止部７により、吊り下げ金具１が射出部Ｇ２に取り付けられる。
【００３１】
以下、吊り下げ金具１を天井Ｃに対して固定し、吊りボルトＢを取り付ける手順について説明する。まず、上記のように吊り下げ金具１を射出部Ｇ２に取り付け、ガス銃Ｇを操作することによって吊り下げ金具１を天井構成部材Ｃ１の下面の適宜な位置に位置合わせし、ガス銃ＧにピンＰを射出させる。射出されたピンＰは、挿通孔５Ａを通過して天井構成部材Ｃ１を貫通し、天井スラブＣ２に打ち込まれる。これにより、吊り下げ金具１が一方の固定板部３Ａにおいて天井Ｃに固定される。このとき、吊り下げ金具１は打ち込まれたピンＰを軸として回転可能な状態となっている。
【００３２】
次に、先端部Ｇ５が一対の位置決め部９Ａ、９Ｂの間に位置するように、射出部Ｇ２を他方側の固定板部３Ｂに当接させる。このとき、小径部Ｇ４が一対の位置決め部９Ａ、９Ｂの間に位置し、位置決め部９Ａ、９Ｂ同士の間隔と小径部Ｇ４の外径Ｌ２との差が大きくガタツキが生じてしまう場合には、大径部Ｇ３を一対の位置決め部９Ａ、９Ｂの間に配置すればよい。このような状態で固定板部３Ｂを天井構成部材Ｃ１の下面の適宜な位置に位置合わせし、ガス銃ＧにピンＰを射出させることにより、射出されたピンＰは、挿通孔５Ｂを通過して天井構成部材Ｃ１を貫通し、天井スラブＣ２に打ち込まれる。これにより、吊り下げ金具１が２箇所において天井Ｃに固定され、回転不能な状態となる。
【００３３】
以上のように天井Ｃに固定された吊り下げ金具１に対し、図６に示すように吊りボルトＢを取り付ける。即ち、吊りボルトＢの先端をナット部１０に位置合わせした状態で吊りボルトＢを回転させることにより、吊りボルトＢをナット部１０に螺合させる。このような吊りボルトＢには、空調機器や照明機器等の被吊り下げ部材が取り付けられ、天井Ｃから被吊り下げ部材が吊り下げられる。
【００３４】
このような本実施形態によれば、以下のような効果がある。即ち、吊り下げ金具１が一対の挟持部６Ａ、６Ｂ及び係止部７によって射出部Ｇ２に取り付けられることで、天井Ｃへの固定時にガス銃Ｇのみを操作すればよく、片手での作業が可能となり作業性を向上させることができる。さらに、吊り下げ金具１を射出部Ｇ２に取り付けるために別部品のアタッチメント等を用いる必要がなく、部品点数の増加を抑制することができる。
【００３５】
また、吊り下げ金具１が２つの挿通孔５Ａ、５Ｂに挿通されたピンＰによって天井Ｃに固定されることで、２つのピンＰのうち一方に固着不良が生じても、正常に固着されたピンＰによって吊り下げ金具１の天井Ｃへの固定を維持することができる。
【００３６】
また、２つの固定板部３Ａ、３Ｂに対し、一方の固定板部３Ａにのみ一対の挟持部６Ａ、６Ｂ及び係止部７が設けられていることで、両方の固定板部３Ａ、３Ｂに挟持部及び係止部を設ける構成と比較して、吊り下げ金具１全体の構成を簡単化することができる。
【００３７】
さらに、挟持部及び係止部が設けられない他方の固定板部３Ｂに一対の位置決め部９Ａ、９Ｂが設けられていることで、射出部Ｇ２と挿通孔５Ｂとを位置合わせし、作業性をさらに向上させることができる。
【００３８】
また、折曲部３１によって一方の挟持部６Ａ及び係止部７が形成され、折曲部３３によって挟持部６Ｂが形成されていることで、固定板部３Ａの一方側の端部を折り返すことにより挟持部６Ａ及び係止部７を容易に形成することができる。
【００３９】
また、ナット部１０が本体部２に対して回動不能に設けられていることで、吊りボルトＢをナット部１０に螺合させる際にナット部１０の回転を抑える必要がなく、吊りボルトＢ取付時の作業性を向上させることができる。
【００４０】
なお、本発明は、前記実施形態に限定されるものではなく、本発明の目的が達成できる他の構成等を含み、以下に示すような変形等も本発明に含まれる。
【００４１】
例えば、前記実施形態では、吊り下げ金具１が２つの固定板部３Ａ、３Ｂのそれぞれに形成された挿通孔５Ａ、５Ｂによって天井Ｃに固定されるものとしたが、吊り下げ金具は、１つの挿通孔のみを有していてもよいし、３以上の挿通孔を有していてもよい。また、吊り下げ金具が複数の挿通孔を有する場合、複数の挿通孔に対して一対の挟持部及び係止部が設けられていてもよい。このような構成によれば、一対の挟持部及び係止部が設けられた複数の挿通孔から、最初にピンＰを挿通して天井Ｃに固定されるものを適宜に選択することができる。
【００４２】
また、前記実施形態では、一対の挟持部及び係止部が設けられない挿通孔５Ｂの周囲に位置決め部９Ａ、９Ｂが設けられるものとしたが、例えば、固定板部３Ｂの下面に位置決め用の印（例えば先端部Ｇ５の外周に沿う線や溝）が形成されている場合や、射出部Ｇ２の内径（射出口の径）に対して外径が充分に小さく形成されており位置ずれしにくい場合には、位置決め部９Ａ、９Ｂは省略されていてもよい。
【００４３】
また、前記実施形態では、挟持部６Ａ及び係止部７が折曲部３１によって形成されるものとしたが、挟持部が切り起こしによって形成されるとともにその先端が屈曲されることにより係止部が形成されていてもよい。また、挟持部及び係止部は、折曲部によって形成されたものに限定されず、例えば挟持部及び係止部を形成する部分を有した型を用いて吊り下げ金具を成形してもよいし、挟持部や係止部が固定板部に溶接されていてもよい。
【００４４】
また、前記実施形態では、天井Ｃを被固定部とするとともに天井構成部材Ｃ１の下面を被固定面とし、吊り下げ金具１を固定するものとしたが、被固定部は、高所や狭所等の作業が困難となりやすい位置に設けられているものであればよく、建物の内壁や外壁等であってもよい。また、吊り下げ金具は、吊りボルトＢ以外の部材が取り付けられることにより、適宜な機器や装置等を被固定部に吊り下げるためのものであってもよい。
【００４５】
また、前記実施形態では、射出部Ｇ２の外周面が円錐状に形成されることにより先端部Ｇ５が基端側と連続的に形成されるとともに拡径されているものとしたが、射出部は、先端部が拡径されるとともに大径部及び小径部を有していればよく、前記実施形態の形状に限定されない。例えば、先端部と基端部とが不連続に形成されていてもよく、射出部の外径が基端部において略一定に形成され、先端部においてのみ外径が大きくなっている形状であってもよい。
【００４６】
また、前記実施形態では、係止部７と他方側の挟持部６Ｂとの間隔Ｌ４が小径部Ｇ４の外径Ｌ２よりも大きいものとしたが、間隔Ｌ４が小径部Ｇ４の外径Ｌ２以下であってもよい。このような構成においては、固定板部３Ａの下面に沿うように射出部Ｇ２をスライドさせ、小径部Ｇ４を一対の挟持部６Ａ、６Ｂ間に配置すればよい。
【００４７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４８】
１          吊り下げ金具
２          本体部
３Ａ、３Ｂ  固定板部
５Ａ、５Ｂ  挿通孔
６Ａ、６Ｂ  一対の挟持部
７          係止部
９          位置決め部
１０        ナット部（取付部）
３１、３３  折曲部
Ｃ          天井（被固定部）
Ｇ          ガス銃（射出手段）
Ｇ２        射出部
Ｇ３        大径部
Ｇ４        小径部
Ｇ５        先端部
Ｂ          吊りボルト
Ｐ          ピン（固着部材）
【図１】
2017072232.tif 000003
【図２】
2017072232.tif 000004
【図３】
2017072232.tif 000005
【図４】
2017072232.tif 000006
【図５】
2017072232.tif 000007
【図６】
2017072232.tif 000008
【図７】
2017072232.tif 000009